(57)【要約】【課題】  未使用時には、バッグ本体部を収納袋に収納してコンパクトな状態にすることができる携帯バッグを提供すること。【解決手段】  適宜に折曲して収縮状態にでき且つ出入れ開口１ａの周縁の適宜の一部に略切込み状の小開口部１ｂが形成されたバッグ本体部１と、前記小開口部１ｂから前記バッグ本体部１の外部に裏返しつつ引出して自在とした収納袋部３とからなること。前記収縮状態のバッグ本体部１が裏返し状態の前記収納袋部３に収納自在としてなること。【選択図】      図１
2006247071.tif 000002
【特許請求の範囲】
【請求項１】
適宜に折曲して収縮状態にでき且つ出入れ開口の周縁の適宜の一部に略切込み状の小開口部が形成されたバッグ本体部と、前記小開口部から前記バッグ本体部の外部に裏返しつつ引出して自在とした収納袋部とからなり、前記収縮状態のバッグ本体部は、裏返し状態の前記収納袋部に収納自在としてなることを特徴とする携帯バッグ。
【請求項２】
請求項１において、前記バッグ本体部には、略逆Ｕ字形状に手提げ部が設けられ、前記小開口部は、前記手提げ部の両付根部の間に形成されてなることを特徴とする携帯バッグ。
【請求項３】
請求項１又は２において、前記バッグ本体部は内側生地部と外側生地部とから構成され、前記外側生地部と内側生地部とは裏返して使用自在としてなることを特徴とする携帯バッグ。
【請求項４】
請求項１，２又は３において、前記バッグ本体部の幅方向端部には該バッグ本体部の上下方向に沿う補助出入れ口を有する補助収納袋部が形成されてなることを特徴とする携帯バッグ。
【請求項５】
請求項１，２，３又は４において、前記収納袋部には、吊下げ部が設けられてなることを特徴とする携帯バッグ。
【請求項６】
請求項１，２，３，４又は５において、前記収納袋部には、ファスナ部が設けられてなることを特徴とする携帯バッグ。
【発明の詳細な説明】
【技術分野】
【０００１】
本発明は、未使用時には、バッグ本体部を収納袋に収納してコンパクトな状態にすることができる携帯バッグに関する。
【背景技術】
【０００２】
従来より、携帯バッグが使用されているが、その多くのものでは折畳みバッグと、この折畳みバッグを収納するための小型の収納ケースとから構成されたものがほとんどである。このようなものとして、たとえば特許文献１に開示されているように、折畳みバッグ部は、適当に折り畳み、この折り畳んだ状態で小型の収納ケースに収納する。
【特許文献１】実用新案登録第３０９５３３３号
【発明の開示】
【発明が解決しようとする課題】
【０００３】
上記の携帯バッグでは、その折畳みバッグ部を使用しているときには、収納ケースは、全くの不要な物となり、有効な利用がなされていないばかりか、かえって使用者にとって、無駄となり、収納スペースを有効に利用することができなかったり、また荷物の負担になることもあり得る。また、この種の携帯バッグでは、使用しないときに小さくして、他のバッグやポケット等に収納するためには、その折畳み方についても予め指定された通りの手順に従う折畳み方をしなければならないことが多い。
【０００４】
そして、このように指定された折り畳み方をしなければ、小さくまとめることはできないおそれがある。そして  、このように指定された折り畳み方には複雑なものもあり、面倒であった。本発明が解決しようとする課題（技術的課題又は目的）は、使用しないときにはバッグを簡単に小さくしてまとめることができ、また使用するときも簡単に小さくまとめたバッグを開くことができるようにすることにある。
【課題を解決するための手段】
【０００５】
そこで、発明者は、上記課題を解決すべく、鋭意，研究を行った結果、本発明を、適宜に折曲して収縮状態にでき且つ出入れ開口の周縁の適宜の一部に略切込み状の小開口部が形成されたバッグ本体部と、前記小開口部から前記バッグ本体部の外部に裏返しつつ引出して自在とした収納袋部とからなり、前記収縮状態のバッグ本体部は、裏返し状態の前記収納袋部に収納自在としてなる携帯バッグとしたことにより、上記課題を解決した。
【０００６】
請求項２の発明は、前述の構成において、前記バッグ本体部には、略逆Ｕ字形状に手提げ部が設けられ、前記小開口部は、前記手提げ部の両付根部の間に形成されてなる携帯バッグとしたことにより、上記課題を解決した。請求項３の発明は、前述の構成において、前記バッグ本体部の外面側と内面側とは裏返して使用自在となる携帯バッグとしたことにより、上記課題を解決した。
【０００７】
請求項４の発明は、前述の構成において、前記バッグ本体部の幅方向端部には該バッグ本体部の上下方向に沿う出入れ口を有する補助収納部が形成されてなる携帯バッグとしたことにより、上記課題を解決した。請求項５の発明は、前述の構成において、前記収納袋部には、手提げ部が設けられてなる携帯バッグとしたことにより、上記課題を解決した。請求項６の発明は、前述の構成において、前記収納袋部には、ファスナ部が設けられてなる携帯バッグとしたことにより、上記課題を解決したものである。
【発明の効果】
【０００８】
請求項１の発明によれば、バッグ本体部は、その出入れ開口周縁の適宜の一部に略切込み状の小開口部が形成され、該小開口部箇所にここから外部に引出して裏返し自在とした収納袋部を設けられ、またバッグ本体部は、適宜に折曲して収縮状態にできるものとしたことで、適当又は無造作に折り曲げて小さくまとめつつバッグ本体部を収納袋部に収納することができるものである。
【０００９】
そして、この収納に際しては、バッグ本体部には、折り畳みに決められた手順は無く、極めて簡単にバッグ本体部を収納袋部に収納してコンパクトにすることができるものである。すなわち、バッグ本体部をクシャクシャ状態に丸めて、収納袋部に押し込むようにして収納することができるものである。なお、バッグ本体部を丁寧に折り畳めば、収納袋部により一層簡単に収納することができる。また、バッグ本体部を開いてバッグとして使用するときには、前記収納袋部は小開口部を出入れ口として小物の収納に好適なものとなり、小銭入れや携帯電話等の収納場所として極めて好適なものとなる。
【００１０】
請求項２の発明は、小開口部及び収納袋部は略逆Ｕ字形状に手提げ部の両付根部の間に形成されるので、収納袋部への収納作業効率を良好にすることができる。すなわち、手提げ部の両付根部の間は、バッグ本体部の中心部であり、バッグ本体部をクシャクシャ状態に丸めたり、或いは規則正しく折り畳むいずれの場合でも、そのバッグ本体部を収納袋部に収納し易いものとなる。
【００１１】
請求項３の発明は、前記バッグ本体部の外部側と内部側とは裏返して使用自在となることで、携帯バッグとして使用できるとともに、リバーシブルバッグとしても使用することができ、多様性に富んだバッグとすることができる。請求項４の発明は、前記バッグ本体部の幅方向端部には該バッグ本体部の上下方向に沿う出入れ口を有する補助収納部が形成されることにより、バッグ本体部内部において収納物を仕分けることができる。
【００１２】
次に、請求項５の発明は、収納袋部に吊下げ部を設けたことにより、収納袋部に収納してコンパクトにまとめたものを持ち運び容易にするとともに、アクセント的な役割も成すものである。さらに、請求項６の発明は、前記収納袋部にファスナ部を設けたことにより、収納袋部に収納したバッグ本体部が収納袋部から飛び出さないようにするとともに、その収納した形状が型崩れしないで良好な状態を長期に亘って維持することができるようにしたものである。
【発明を実施するための最良の形態】
【００１３】
以下、本発明の実施形態を図面に基づいて説明する。本発明は、図１（Ａ）に示すように、主にバッグ本体部１と収納袋部３とから構成されている。そのバッグ本体部１は、布地，ナイロン，合成樹脂，紙等から形成され、特に柔軟な生地で形成されている。このバッグ本体部１は、折り畳みが容易にできるが、適宜に折曲して丸める等して収縮させてサイズを小さくすることができる。すなわち、そのバッグ本体部１は、クシャクシャ状態にして、極めて小さいサイズにすることができる。
【００１４】
そのバッグ本体部１は、前述したように柔軟な生地にて形成され、折り畳み自在で、この折り畳み状態から拡げたときには、図１（Ａ）に示すように、トートバッグ等の肩掛けタイプのバッグにすることができる。そのバッグ本体部１は、略長方形，正方形等の方形状に形成され、２つの側面部が対向するようにして構成される。またその２つの側面部との間にはマチが設けられており、収納容積を大きくしている。
【００１５】
そして、そのバッグ本体部１には、図１（Ａ），図３に示すように、手提げ部２が設けられている。その手提げ部２は、肩に掛けるのに適正なループ状をなしており、肩に掛けることや手に持つことが容易にできるものである。具体的には、その手提げ部２は、バッグ本体部１に対して対向する側面部にそれぞれ装着されており、前記バッグ本体部１の上方に略逆Ｕ字形状に設けられている（図３参照）。そして、それぞれの手提げ部２において、前記バッグ本体部１への縫付箇所は、付根部２ａ，２ａと称する。
【００１６】
また、前記バッグ本体部１は、その内部側と外部側とを裏返して、両側を使用することができる、いわゆるリバーシブルバッグとした実施形態も存在する。具体的には、前記バッグ本体部１は、図４乃至図６等に示すように、内側生地部１ｃと外側生地部１ｄとから構成され、これらを重合させて形成されたものである。この内側生地部１ｃと外側生地部１ｄとは、異なる柄の生地とすること多く、リバーシブルバッグとしての使用に好適である。なお、ここで、前記内側生地部１ｃは、通常の使用状態において、バッグ本体部１の内面側を構成し、前記外側生地部１ｄはバッグ本体部１の外面側を構成するものであるが、前記バッグ本体部１を裏返すことによって、内側生地部１ｃがバッグ本体部１の外面側となり、外側生地部１ｄがバッグ本体部１の内面側となる。
【００１７】
そのバッグ本体部１の上部には、図１（Ａ）に示すように、収納物の出入れを行うための出入れ開口１ａが設けられている。前記バッグ本体部１を構成する内側生地部１ｃと外側生地部１ｄは、その出入れ開口１ａの周縁で縫合されたものである。その出入れ開口１ａの周縁の適宜の一部には、図１，図２，図４，図６（Ａ）等に示すように、略切込み状の小開口部１ｂが形成されている。
【００１８】
該小開口部１ｂは、前記バッグ本体部１を構成する２枚の生地が前記出入れ開口１ａの周縁で一部縫合されていない部分でバッグ本体部１の内側生地部１ｃと外側生地部１ｄが相互に離れて前記出入れ開口１ａとは別の小さな開口を構成するものである〔図２（Ａ），図６（Ａ）参照〕。その小開口部１ｂは、図１乃至図３等に示すように、前記手提げ部２の両付根部２ａ，２ａの間に位置して設けられている。この位置は、後述するように前記収納袋部３にバッグ本体部１を収納する作業において、最も好都合である。なお小開口部１ｂの位置は、必ずしも前述した手提げ部２の両付根部２ａ，２ａ間に設ける必要はない。
【００１９】
この小開口部１ｂの形成位置から、前記バッグ本体部１の内側生地部１ｃと外側生地部１ｄとの間に位置するようにして収納袋部３が設けられている。該収納袋部３は、前記バッグ本体部１に対しては、別体としており、図１（Ａ），図２等に示すように、その収納袋部３の開口と、前記小開口部１ｂとが一致するようにして、前記収納袋部３の開口箇所が前記小開口部１ｂに合わせて縫合されている。すなわち、前記小開口部１ｂは、前記収納袋部３の開口として兼用されるものである。
【００２０】
そして、その収納袋部３は、図２（Ｂ），図７（Ｂ），（Ｃ）等に示すように、前記小開口部１ｂからバッグ本体部１の外部に引出して裏返すことができ、その裏返し状態とした収納袋部３に、適宜に折曲して収縮状態にした前記バッグ本体部１を収納することができる（図８乃至図１０参照）。その収納袋部３の大きさは、前記バッグ本体部１に比較して極めて小さいものであり、クシャクシャ状態に丸めたり、或いは細かく折り畳んだ状態のバッグ本体部１を収納できる容量を有しているものであればよい。具体的には２つ折りタイプの札入れや、定期入れ程度の大きさであるが、実際は、これらよりもさらに小さくても構わない。
【００２１】
その収納袋部３の開口は、前述したように、前記小開口部１ｂと一致するものであり、該小開口部１ｂは収納袋部３の開口として使用される。これは、図７（Ｂ），（Ｃ），（Ｄ）に示すように、該収納袋部３を裏返して、前記バッグ本体部１を収納する場合でも、その小開口部１ｂが収納袋部３の開口となるものである。また、前述したように、その小開口部１ｂが手提げ部２の両付根部２ａ，２ａ間に位置する場合には、前記収納袋部３も同様に前記手提げ部２の両付根部２ａ，２ａ間に位置することになる（図１乃至図３参照）。
【００２２】
その収納袋部３には、図１（Ａ），図１１（Ａ）に示すように、吊下げ部４が装着されている。該吊下げ部４を構成する紐材の長手方向一端側は、前記収納袋部３の幅方向の一端側が縫い付けられており、その吊下げ部４を構成する紐材の長手方向の他端側にはフック具５が装着されている。そして前記収納袋部３の幅方向の他端側にフック部材５ａに係合するリング材５ｂが装着され、前記吊下げ部４を前記フック部材５ａとリング材５ｂとを介して着脱自在としている。前記フック部材５ａとリング材５ｂとを接続を外すことで、前記吊下げ部４の一端が収納袋部３から外れ、該収納袋部３に前記バッグ本体部１を収納する作業を行い易くすることができる。この吊下げ部４は、前記収納袋部３にバッグ本体部１を収納したときの吊下げとしての役目をなすものである。
【００２３】
さらに、その収納袋部３には、図１（Ａ），図２，図６（Ａ），図７，図１１等に示すように、ファスナ部６が装着されている。特に、このファスナ部６は、前記バッグ本体部１を収納した収納袋部３の小開口部１ｂを閉じる役目をなすものであり、したがって、そのファスナ部６は、前記収納袋部３が裏返しされた状態で使用される。そのファスナ部６としては、鉤状起毛側及び輪状起毛側から構成される布ファスナが使用される。
【００２４】
具体的には、図２，図７等に示すように、前記収納袋部３の小開口部１ｂ箇所にその１辺が縫合さた略方形状の舌片状生地３ａに前記布ファスナとしたファスナ部６の鉤状起毛側又は輪状起毛側のいずれか一方側６ａが縫着又は貼着され、前記収納袋部３の内方で且つ前記小開口部１ｂ付近となる位置に前記ファスナ部６（布ファスナ）の他方側６ｂが縫（貼）着される。そして、その収納袋部３を裏返した状態で、該収納袋部３内にバッグ本体部１を収納すると共に、前記舌片状生地３ａを外部に引き出し、図１１に示すように、該舌片状生地３ａに縫（貼）着された布ファスナの一方側６ａを、前記収納袋部３の外部側に露出したファスナ部６（布ファスナ）の他方側６ｂに接合するものである。そのファスナ６のその他の実施形態としては、ジッパ，ホック，ボタン等が存在する。
【００２５】
次に、前記バッグ本体部１には、補助収納部７が装着されている。該補助収納部７の補助出入れ口７ａは、図１，図３，図５等に示すように、前記バッグ本体部１の幅方向の端部で且つその上下方向に沿って設けられている。また、前記の補助収納部７の補助収納袋部７ｂは、前記バッグ本体部１を構成する内側生地部１ｃと外側生地部１ｄとの間に配置されている。
【００２６】
そして、前記補助出入れ口７ａは、バッグ本体部１の外部側と内部側の両方に存在しており、バッグ本体部１の外側の補助出入れ口７ａと、内側の補助出入れ口７ａとは前記補助収納袋部７ｂを通過するようにして連通している。これによって、バッグ本体部１をリバーシブルとして使用する場合には、前記バッグ本体部１の内側生地部１ｃと外側生地部１ｄとを裏返しても、前記補助出入れ口７ａは、常時，バッグ本体部１の外面側に存在するものである。
【００２７】
次に、本発明の携帯バッグのバッグ本体部１を収納袋部３に収納する過程を説明する。その収納工程の第１実施形態としては、バッグ本体部１の小開口部１ｂから収納袋部３を引き出す。この収納袋部３をバッグ本体部１から引き出す過程で、収納袋部３が裏返しにされると同時に、小開口部１ｂ付近でも裏返しとなり、１組の布ファスナがそれぞれ収納袋部３の外方側に位置することになる〔図７（Ｂ），（Ｃ），（Ｄ）参照〕。
【００２８】
次に、そのバッグ本体部１は、図８（Ａ），（Ｂ）に示すように、適宜に折曲してクシャクシャ状態にして、収縮させてサイズを小さくする。そして、図９（Ａ），（Ｂ）に示すように、その収縮したバッグ本体部１を前記収納袋部３に押し込む。このとき、バッグ本体部１をなるべく圧縮するようにして小さく収縮させることが収納袋部３に収納し易くするコツである。
【００２９】
このようにして、さらにバッグ本体部１を収納袋部３に押し込むことにより〔図１０（Ａ），（Ｂ）参照〕、前記バッグ本体部１は、圧縮されつつ収納袋部３に収納されてゆく。そして、前記バッグ本体部１が収納袋部３に収納されたら、図１１（Ａ），（Ｂ）に示すように、前記ファスナ６を介して収納袋部３の小開口部１ｂを閉じる。なお、前記吊下げ部４は収納袋部３から引き出しておくことで、通常使用しているトートバッグの手提げ部等に引っかけておくことができる。
【００３０】
次に、収納工程の第２実施形態としては、図１２，図１３（Ａ）に示すように、前記バッグ本体部１を幅方向に沿って複数に重ね合わせてゆき、短冊状に形成する。次いで、図１３（Ｂ）に示すように、その短冊状に折り畳まれたバッグ本体部１を長手方向に沿って重ね合わせるようにして折り畳んでゆく。このとき、図１４（Ａ）に示すように、前記バッグ本体部１が折り畳まれた最終状態で、前記小開口部１ｂが外部に露出するようにセットされることが必要である。
【００３１】
このようにして、バッグ本体部１をコンパクトな状態とし、図１４（Ａ）乃至（Ｃ）に示すように、前記小開口部１ｂから収納袋部３を裏返して前記バッグ本体部１を包むようにすることで、折り畳まれたバッグ本体部１を収納袋部３に収納してゆくことができるものである。なお、本発明の携帯バッグをバッグの機能として使用する場合には、前記収納袋部３に収納されたバッグ本体部１を引き出して広げるのみで良い。このとき、ファスナ６及び吊下げ部４は収納袋部３内に収納しておく。
【図面の簡単な説明】
【００３２】
【図１】（Ａ）は本発明の斜視図、（Ｂ）は本発明の補助出入れ口箇所の斜視図である。
【図２】（Ａ）は小開口部と収納袋部の一部切除した斜視図、（Ｂ）は小開口部から収納袋部を裏返しつつ引き出した斜視図である。
【図３】本発明の正面図である。
【図４】図３のＸ1 −Ｘ1 矢視断面図である。
【図５】図３のＸ2 −Ｘ2 矢視断面図である。
【図６】（Ａ）は図３のＸ3 −Ｘ3 矢視断面図、（Ｂ）は図３のＸ4 −Ｘ4 矢視断面図である。
【図７】（Ａ）は図６（Ａ）のイ部拡大図、（Ｂ）は小開口部から収納袋部を裏返しつつ引き出す拡大図、（Ｃ）は小開口部箇所が裏返される工程の拡大図、（Ｄ）は小開口部から収納袋部全体が引き出された拡大図である。
【図８】（Ａ）は収納袋部にバッグ本体部を収納する初期状態の正面図、（Ｂ）は（Ａ）の断面略示図である。
【図９】（Ａ）は収納袋部にバッグ本体部を収納する途中状態の正面図、（Ｂ）は（Ａ）の断面略示図である。
【図１０】（Ａ）は収納袋部にバッグ本体部を収納する完了直前状態の正面図、（Ｂ）は（Ａ）の断面略示図である。
【図１１】（Ａ）はバッグ本体部が収納袋部に収納された状態の斜視図、（Ｂ）は（Ａ）の断面図である。
【図１２】バッグ本体部を折り畳む前の状態斜視図である。
【図１３】（Ａ）バッグ本体部を折り畳む途中状態の斜視図、（Ｂ）バッグ本体部の折り畳みが完了した状態の斜視図である。
【図１４】（Ａ）折り畳み状態のバッグ本体部を小開口部から収納袋部の裏返しを開始した状態の斜視図、（Ｂ）は収納袋部を裏返してバッグ本体部を収納する途中の斜視図、（Ｃ）は収納袋部にバッグ本体部の収納を完了した状態の斜視図である。
【符号の説明】
【００３３】
１…バッグ本体部、１ａ…出入れ開口、１ｂ…小開口部、１ｃ…内側生地部、
１ｄ…外側生地部、２…手提げ部、３…収納袋部、４…吊下げ部、６…ファスナ部、
７ａ…補助出入れ口、７ｂ…補助収納袋部。
【図１】
2006247071.tif 000003
【図２】
2006247071.tif 000004
【図３】
2006247071.tif 000005
【図４】
2006247071.tif 000006
【図５】
2006247071.tif 000007
【図６】
2006247071.tif 000008
【図７】
2006247071.tif 000009
【図８】
2006247071.tif 000010
【図９】
2006247071.tif 000011
【図１０】
2006247071.tif 000012
【図１１】
2006247071.tif 000013
【図１２】
2006247071.tif 000014
【図１３】
2006247071.tif 000015
【図１４】
2006247071.tif 000016